【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
ワイヤレスデバイスのための方法であって、
該方法は、
８０２．１ｘ認証がサポートされているか否かを示す情報を取得することであって、該情報がブロードキャストメッセージ内に含まれている、ことと、
該ワイヤレスデバイスに格納されたインジケータに基づいて非８０２．１ｘ認証機構を使用するか否かを決定することであって、該非８０２．１ｘ認証機構はトンネル手順を含む、ことと、
該情報と該ワイヤレスデバイスに格納された指示とに基づいて、少なくとも１つのワイヤレスローカルエリアネットワーク（ＷＬＡＮ）を介して、８０２．１ｘ認証機構または該非８０２．１ｘ認証機構のうちの少なくとも１つを使用して任意の利用可能なネットワークを識別することと、
該８０２．１ｘ認証機構または該非８０２．１ｘ認証機構のうちの少なくとも１つを使用して識別された少なくとも１つのネットワークを示すことと
を包含する、方法。
【請求項２】
前記８０２．１ｘ認証機構は、前記少なくとも１つのＷＬＡＮが８０２．１ｘ認証をサポートする場合に使用される、請求項１に記載の方法。
【請求項３】
前記非８０２．１ｘ認証機構は、前記少なくとも１つのＷＬＡＮが８０２．１ｘ認証をサポートしていない場合に使用される、請求項１に記載の方法。
【請求項４】
前記情報は、非８０２．１ｘ認証のサポートをさらに示す、請求項１に記載の方法。
【請求項５】
前記指示は、ＯＭＡ  ＤＭフォーマットされた情報を含む、請求項１に記載の方法。
【請求項６】
処理回路を備えている装置であって、
該処理回路は、
８０２．１ｘ認証がサポートされているか否かを示す情報を取得することであって、該情報がブロードキャストメッセージ内に含まれている、ことと、
ワイヤレスデバイスに格納されたインジケータに基づいて非８０２．１ｘ認証機構を使用するか否かを決定することであって、該非８０２．１ｘ認証機構はトンネル手順を含む、ことと、
該情報と該ワイヤレスデバイスに格納された該インジケータとに基づいて、少なくとも１つのワイヤレスローカルエリアネットワーク（ＷＬＡＮ）を介して、８０２．１ｘ認証機構または該非８０２．１ｘ認証機構のうちの少なくとも１つを使用して任意の利用可能なネットワークを識別することと、
該８０２．１ｘ認証機構または該非８０２．１ｘ認証機構を使用して識別された少なくとも１つのネットワークを示すことと
を行うように構成されている、装置。
【請求項７】
前記処理回路は、前記少なくとも１つのＷＬＡＮが８０２．１ｘ認証をサポートする場合に、前記８０２．１ｘ認証機構を使用するようにさらに構成されている、請求項６に記載の装置。
【請求項８】
前記処理回路は、前記少なくとも１つのＷＬＡＮが８０２．１ｘ認証をサポートしていない場合に、前記非８０２．１ｘ認証機構を使用するようにさらに構成されている、請求項６に記載の装置。
【請求項９】
指示は、ＯＭＡ  ＤＭフォーマットされた情報を含む、請求項６に記載の装置。
【請求項１０】
ワイヤレスデバイスのための方法であって、
該方法は、
少なくとも１つのワイヤレスローカルエリアネットワーク（ＷＬＡＮ）が８０２．１ｘ認証をサポートしているか否かを示す情報を取得することであって、該情報がブロードキャストメッセージ内に含まれている、ことと、
該ワイヤレスデバイスに格納されたインジケータに基づいて非８０２．１ｘ認証機構を使用するか否かを決定することであって、該非８０２．１ｘ認証機構はトンネル手順を含む、ことと、
該情報と該ワイヤレスデバイスに格納された指示とに基づいて、該少なくとも１つのＷＬＡＮを介して、該非８０２．１ｘ認証機構を使用して任意の利用可能なネットワークを識別することと、
該非８０２．１ｘ認証機構を使用して識別された少なくとも１つのネットワークを示すことと
を包含する、方法。
【請求項１１】
前記指示は、ＯＭＡ  ＤＭフォーマットされた情報を含む、請求項１０に記載の方法。
【請求項１２】
処理回路を備えている装置であって、
該処理回路は、
少なくとも１つのワイヤレスローカルエリアネットワーク（ＷＬＡＮ）が８０２．１ｘ認証をサポートしているか否かを示す情報を取得することであって、該情報がブロードキャストメッセージ内に含まれている、ことと、
ワイヤレスデバイスに格納されたインジケータに基づいて非８０２．１ｘ認証機構を使用するか否かを決定することであって、該非８０２．１ｘ認証機構はトンネル手順を含む、ことと、
該情報と該ワイヤレスデバイスに格納された指示とに基づいて、該少なくとも１つのＷＬＡＮを介して、該非８０２．１ｘ認証機構を使用して任意の利用可能なネットワークを識別することと、
該非８０２．１ｘ認証機構を使用して識別された少なくとも１つのネットワークを示すことと
を行うように構成されている、装置。
【請求項１３】
前記指示は、ＯＭＡ  ＤＭフォーマットされた情報を含む、請求項１２に記載の装置。
【手続補正２】
【補正対象書類名】明細書
【補正対象項目名】００１６
【補正方法】変更
【補正の内容】
【００１６】
従って、これらの局面および他の局面において、ワイヤレスデバイスによるネットワークアクセスを促進する装置および関連方法が提供される。利用可能な場合に第１の認証型接続を介したネットワークへのアクセスの利用可能性が決定される。また、利用可能な場合に第２の認証型接続を介して、ネットワークアクセスは、選択可能に試行される。ホームネットワークアクセスの試行に応答するネットワークアクセスの利用可能性が識別される。
例えば、本発明は以下の項目を提供する。
（項目１）
ワイヤレスデバイスによる公衆ネットワークアクセスを促進するアクセスネットワーク方法であって、
該方法は、
第１の認証型接続を介して公衆ネットワークアクセス利用可能性を決定することと、
利用可能な場合に第２の認証型接続を介して公衆ネットワークアクセスを選択可能に試行することと、
該決定することの間、および該第２の認証型接続を介して該公衆ネットワークアクセスを選択可能に試行することの間に、決定された公衆ネットワークアクセス利用可能性に応答するネットワークアクセス利用可能性を識別することと
を含む、方法。
（項目２）
上記第１の認証型を介して上記公衆ネットワークアクセス利用可能性を決定することは、８０２．１ｘアクセス手順を介して該公衆ネットワークアクセス利用可能性を決定することを含む、項目１に記載のアクセス方法。
（項目３）
上記第２の認証型を介して上記公衆ネットワークアクセスを選択可能に試行することは、非８０２．１ｘの直接接続手順を介して該公衆ネットワークアクセスを試行することを含む、項目１に記載のアクセス方法。
（項目４）
上記直接接続手順はトンネル手順を含む、項目３に記載のアクセス方法。
（項目５）
上記第１の認証型接続の利用可能性の情報を得ることをさらに含む、項目１に記載のアクセス方法。
（項目６）
上記得ることは、上記第１の認証型接続の利用可能性の情報のブロードキャストを検出するためにネットワークスキャンを行うことを含む、項目１に記載のアクセス方法。
（項目７）
上記第２の認証型接続の利用可能性の情報を得ることをさらに含む、項目１に記載のアクセス方法。
（項目８）
上記得ることは、上記第２の認証型接続の利用可能性の情報のブロードキャストを検出するためにネットワークスキャンを行うことを含む、項目１に記載のアクセス方法。
（項目９）
上記第２の認証型接続を介して上記公衆ネットワークアクセスを試行するかどうかを決定することをさらに含む、項目１に記載の方法。
（項目１０）
上記公衆ネットワークアクセスを試行するかどうかを決定することは、ワイヤレスデバイスに格納された許容表示にアクセスすることをさらに含む、項目９に記載の方法。
（項目１１）
上記ワイヤレスデバイスに格納された許容表示にアクセスすることは、着脱可能なメモリ要素であって、該ワイヤレスデバイスと連結可能なメモリ要素においてワイヤレスデバイスに格納された許容情報にアクセスすることを含む、項目１０に記載の方法。
（項目１２）
上記ワイヤレスデバイスに格納された許容表示にアクセスすることは、ワイヤレスデバイスの内部メモリ要素においてワイヤレスデバイスに格納された許容情報にアクセスすることを含む、項目１０に記載の方法。
（項目１３）
上記ワイヤレスデバイスの内部メモリにおいてワイヤレスデバイスに格納された許容情報は、ＯＭＡ  ＤＭフォーマットされた情報を含む、項目１２に記載の方法。
（項目１４）
上記選択可能に試行することは、オープンアクセス認証接続を介して公衆ネットワークアクセスを選択可能に試行することを含む、項目１に記載の方法。
（項目１５）
スプラッシュスクリーン認証接続を介して公衆ネットワークアクセスを選択可能に試行する、項目１に記載の方法。
（項目１６）
上記決定することが、ホームネットワークアクセス利用可能性を決定することを含む、項目１に記載の方法。
（項目１７）
ワイヤレスデバイスによる公衆ネットワークアクセスを促進する装置であって、
該装置は、
第１の認証型接続を介して公衆ネットワークアクセス利用可能性を決定するように構成される公衆ネットワークアクセス利用可能性決定器と、
利用可能な場合に第２の認証型接続を介して公衆ネットワークアクセスを選択可能に試行するように構成される公衆ネットワークアクセス試行器と、
該公衆ネットワークアクセス利用可能性決定器によって決定される公衆ネットワークアクセス利用可能性と、該公衆ネットワークアクセス試行器による試行とに応答するネットワーク利用可能性を識別するように構成される識別器と
を含む、装置。
（項目１８）
上記公衆ネットワークアクセス利用可能性決定器が、８０２．１ｘアクセス手順を介して公衆ネットワークアクセス利用可能性を決定するように構成される、項目１７に記載の装置。
（項目１９）
上記公衆ネットワークアクセス試行器が、非８０２．１ｘの直接接続手順を介して公衆ネットワークアクセスを試行するように構成される、項目１７に記載の装置。
（項目２０）
上記直接接続手順はトンネル手順を含む、項目１９に記載の装置。
（項目２１）
許容表示を格納するように構成されるメモリ要素をさらに含み、上記公衆ネットワークアクセス試行器は、該許容表示に応答する第２の認証型接続がある場合に、該第２の認証型接続を介して該公衆ネットワークアクセスを試行するかどうかを選択するように構成される、項目１７に記載の装置。
（項目２２）
上記公衆ネットワークアクセス利用可能性決定器が、ホームネットワークアクセス利用可能性を決定するように構成される、項目１７に記載の装置。
（項目２３）
公衆ネットワークへのワイヤレスデバイスのアクセスを促進する装置であって、
該装置は、
該公衆ネットワークに位置するアクセス許諾器であって、該アクセス許諾器は、第１の認証型接続を介して受信された第１のアクセス要求に応答し、かつ、第２の認証型接続を介して受信された第２のアクセス要求に応答するワイヤレスデバイスのアクセスを選択可能に許諾するように構成される、アクセス許諾器と、
該第１のアクセス要求および該第２のアクセス要求のうちの任意のものを認証するように構成される認証器であって、該アクセス許諾器によるアクセスの許諾は、該認証器による認証に応答して行われる、認証器と
を含む、装置。
（項目２４）
公衆ネットワークへのワイヤレスデバイスのアクセスを促進する方法であって、
該方法は、
第１の認証型接続を介して受信された第１のアクセス要求、および第２の認証型接続を介して受信された第２のアクセス要求のうちの任意のものを検出することと、
該第１のアクセス要求および該第２のアクセス要求のうちの任意のものを認証することと、
該認証することの間に認証された場合に該公衆ネットワークへのワイヤレスデバイスのアクセスを許諾することと
を含む、方法。